【手続補正書】
【提出日】平成16年5月28日(2004.5.28)
【手続補正１】
【補正対象書類名】明細書
【補正対象項目名】特許請求の範囲
【補正方法】変更
【補正の内容】
【特許請求の範囲】
【請求項１】
前面枠の開口周辺に止着手段によって取り付けられた扉保持枠の下部領域に開閉自在に軸支された前面扉板の表面に打球を供給するための第１玉貯留部を有する上皿が装着され、
前記前面扉板の下方で前記前面枠の下部表面に余剰球を貯留する第２玉貯留部を有する下皿が装着された弾球遊技機において、
前記上皿又は前記下皿がアーチ形状をなして遊技者側に突出するとともに色彩構造物を内部に擁し、該上皿又は下皿の表層構造物を透明体とし、前記表層構造物が光学屈折性を備えていることを特徴とする遊技機。
【請求項２】
上皿又は下皿がアーチ形状をなして遊技者側に突出するとともに、該上皿又は下皿の正面部にホログラム表示体を設け、前記上皿の内部または外部に前記ホログラム表示体にレーザ光を照射するレーザ発光手段を設け、該発光手段によりレーザを前記ホログラム表示体に照射した場合に、見る角度によって異なる図柄を視認可能であることを特徴とする遊技機。
【請求項３】
請求項２において、前記ホログラム表示体には、複数の図柄が形成され、前記発光手段は前記ホログラム表示体を少なくとも２つの異なる角度から照射することができ、且つ、少なくとも１つの角度を選択して照射することができることを特徴とする遊技機。
【請求項４】
上皿又は下皿がアーチ形状をなして遊技者側に突出するとともに、該上皿若しくは下皿の正面部又は前面枠にホログラムシートを設け、該ホログラムシートには複数の図柄が形成され、少なくとも２つの異なる角度から見た場合、異なる像が形成されることを特徴とする遊技機。
【請求項５】
鋸歯状の凹凸を縦方向に設け、該凹凸に側面部から視認可能な図柄を形成した凹凸表示体を、アーチ形状をなして遊技者側に突出する上皿若しくは下皿の正面部又は前面枠に備えたことを特徴とする遊技機。
【請求項６】
前記ホログラム表示体、ホログラムシート、若しくは凹凸表示体は、透明な表面構成部材によって覆われたことを特徴とする請求項２ないし５の遊技機。
【手続補正２】
【補正対象書類名】明細書
【補正対象項目名】０００５
【補正方法】変更
【補正の内容】
【０００５】
【課題を解決するための手段及び効果】
前記課題に鑑み、請求項１記載の遊技機は、前面枠の開口周辺に止着手段によって取り付けられた扉保持枠の下部領域に開閉自在に軸支された前面扉板の表面に打球を供給するための第１玉貯留部を有する上皿が装着され、前記前面扉板の下方で前記前面枠の下部表面に余剰球を貯留する第２玉貯留部を有する下皿が装着された弾球遊技機において、前記上皿又は前記下皿がアーチ形状をなして遊技者側に突出するとともに色彩構造物を内部に擁し、該上皿又は下皿の表層構造物を透明体とし、前記表層構造物が光学屈折性を備えていることを特徴とする遊技機としている。
これにより遊技者が前記表層構造物の光学屈折性によって遊技機の特定が容易となり、前記課題が好適に解決できる。
【手続補正３】
【補正対象書類名】明細書
【補正対象項目名】０００６
【補正方法】変更
【補正の内容】
【０００６】
また、前記課題を解決するため請求項２の遊技機は、上皿又は下皿がアーチ形状をなして遊技者側に突出するとともに、該上皿又は下皿の正面部にホログラム表示体を設け、前記上皿の内部または外部に前記ホログラム表示体にレーザ光を照射するレーザ発光手段を設け、該発光手段によりレーザを前記ホログラム表示体に照射した場合に、見る角度によって異なる図柄を視認可能であることを特徴とする遊技機である。
請求項２の遊技機によれば、ホログラム表示体にパチンコ機の機種、メーカー名、識別標識などを記録させておけば、ホールの島を横から見たとき、ホログラム表示体への照射光によりホログラム表示される図柄を確認することによって、目的のパチンコ機をみつけやすくすることができ、前記課題が好適に解決できる。
【手続補正４】
【補正対象書類名】明細書
【補正対象項目名】０００７
【補正方法】変更
【補正の内容】
【０００７】
請求項３の遊技機は、請求項２において、前記ホログラム表示体には、複数の図柄が形成され、前記発光手段は前記ホログラム表示体を少なくとも２つの異なる角度から照射することができ、且つ、少なくとも１つの角度を選択して照射することができることを特徴とする遊技機である。
請求項３の遊技機によれば、請求項１の遊技機と同様の課題を達成できるほか、側面とは異なる図柄を側面以外例えば正面などにホログラム表示させることで、機種の確認などが一層容易となるのである。
【手続補正５】
【補正対象書類名】明細書
【補正対象項目名】０００８
【補正方法】変更
【補正の内容】
【０００８】
請求項４の遊技機は、上皿又は下皿がアーチ形状をなして遊技者側に突出するとともに、該上皿若しくは下皿の正面部又は前面枠にホログラムシートを設け、該ホログラムシートには複数の図柄が形成され、少なくとも２つの異なる角度から見た場合、異なる像が形成されることを特徴とする遊技機である。
請求項４の遊技機によれば、請求項１と同様の課題を達成できる上、レーザ光を用いなくとも、ホールの蛍光灯などの光によってもホログラム表示が可能となり、安価な装置を提供できることになる。
【手続補正６】
【補正対象書類名】明細書
【補正対象項目名】０００９
【補正方法】変更
【補正の内容】
【０００９】
請求項５の遊技機は、鋸歯状の凹凸を縦方向に設け、該凹凸に側面部から視認可能な図柄を形成した凹凸表示体を、アーチ形状をなして遊技者側に突出する上皿若しくは下皿の正面部又は前面枠に備えたことを特徴とする遊技機である。
請求項５の遊技機によれば、請求項１と同様の課題を達成できる上、ホログラムを用いなくとも、物理的な凹凸によって同様の効果を生じることができる。
【手続補正７】
【補正対象書類名】明細書
【補正対象項目名】００１３
【補正方法】変更
【補正の内容】
【００１３】
前述の皿部本体２７は、上部にエボナイト製の皿部３４、球抜きボタン８、球抜きボタン８に連動して動作する球抜きスイッチ３５と、皿部３４から下皿１２へ遊技球を抜く球抜き通路３６と、ビス３２ａ〜３２ｄが締着することができる雌ネジ部３７ａ〜３７ｄと、を備えている。この皿部本体２７は、前述の通り、ＡＢＳ樹脂でできているが組成が荒いので表面に傷が生じやすく、また「すべり」が少ないので皿部の絞り込み部６ａ（図１参照）で球詰まり現象が生じ易いが、皿部３４はエボナイト樹脂を使用しており組成が密であるから傷も少なく「すべり」も良好で球詰まり現象が生じない。エボナイト樹脂以外にフッ素樹脂、ポリエチレン樹脂及びポリカーボネート樹脂でも良く、さらにセラミックを使用すれば皿部に好適である。不良になりやすいものは、ＡＢＳ樹脂以外に塩化ビニール、ＰＥＴ樹脂やアクリル樹脂等がある。
【手続補正８】
【補正対象書類名】明細書
【補正対象項目名】００１７
【補正方法】変更
【補正の内容】
【００１７】
図４はパチンコ機１の裏面図であり、前述した遊技盤１１を脱着可能に取り付ける機構盤５０が前述した外枠２に収納されている。この機構盤５０には、上方から、球タンク５１、誘導樋５２、賞球払い出し装置５３、及び貸し球払い出し装置５４などが設けられている。この構成により、遊技盤１１上の入賞口に遊技球の入賞があれば球タンク５１から誘導樋５２を介して所定個数の遊技球を賞球払い出し装置５３により前述した上皿６に排出し、一方、プリペイドカードユニット４から貸し出し要求があれば、貸し球払い出し装置５４により上皿６に排出できるようになっている。
また、球タンク５１の右側には遊技情報出力端子板５５、及び外部連絡端子板５６が設けられている。誘導樋５２の下面には感圧式の補給要求検出部５７が設置されている。
また、機構盤５０にはセキュリティ部５８を備えた主制御装置５９及び払い出し制御装置６０が脱着可能に、遊技盤１１には特別図柄表示装置６１が、特別図柄表示装置６１の上面にはセキュリティ部６２を設けた中継端子板６３が、特別図柄表示装置６１の下部に発光（ＬＥ）素子制御部６４を備えた出力制御装置６５及び音声制御装置６６が、主制御装置５９の下に電源装置６７が、電源装置６７の下側に感圧式満杯検出器６８及び信号接続端子６９が、前面枠３の左下部には発射装置７１ａを制御する発射制御装置７１が、プリペイドカードユニット４に接続端子７０ａが、払い出し制御装置６０の近辺にプリペイドカードユニット４の接続端子７０ｂが、各々取り付けられている。
中継端子板６３はセキュリティが設けてあり、主制御装置５９と共にセキュリティを解除しないとコネクタが抜去出来ない構造である。違法改造防止と違法装置の取り付けを困難にする。
尚、機構盤５０を中心とした遊技球の払い出し等に関する構造は従来の構成と同様なのでその詳細な説明は割愛する。
【手続補正９】
【補正対象書類名】明細書
【補正対象項目名】００３７
【補正方法】変更
【補正の内容】
【００３７】
以上の実施形態では、レ−ザによるホログラムの表示を説明したが、次に、これの変更形態について図９を参照して説明する。即ち、この変更形態は上述実施形態において、ホログラム表示体３０を削除し、これに代えてホログラムシート１３０を上皿６の内部に配置し、更に、レーザ発光装置３０ａ，３０ｂを削除したものである。ホログラムシート１３０の表面に遊技機或いはメーカ名を特定する文字又は図形をエンボスすることで、目視で容易に機種或いはメーカ名を判別できるのである。このホログラムシートは周知のものであり、透明樹脂層と、該透明樹脂層に積層され透明樹脂層の反対の面にホログラムパターンが形成された透明樹脂であるパターン層と、該パターン層に積層され、前記ホログラムパターンを覆うように形成された光反射層とを備えるものである。ここでは、ホログラムシート１３０には、機種名を示す「メタルショック」及び製造者を示す「ＴＡＫＡＯ」の複数の立体画像が形成されており、２つの異なる角度から見ることで、機種名或いは製造者のいずれもを確認できるようになっている。これにより上記形態と同様な効果を奏する上、ホログラムシートを形成するだけであるので、簡便な構成によりコスト削減などの効果を生じることができる。なお、ホログラムシート１３０は平面でも曲面でも良く、所望の形態を取り得る。
【手続補正１０】
【補正対象書類名】明細書
【補正対象項目名】００３８
【補正方法】変更
【補正の内容】
【００３８】
図１０は更に異なる変更形態であり、ホログラムシート１３０に代えて、凹凸表示体２３０を設けたものである。即ち、この凹凸表示体２３０は、平面視でアーチ状に形成され、鋸歯状の凹凸２３１を垂直方向に多数繰り返し設け、この凹凸２３１に側面部から視認可能な図柄、例えば、「ＴＡＫＡＯ」を印刷、塗布等により形成したものである。また表面構造部材２３３により保護されている。これにより上記形態と同様な効果を奏する上、物理的な凹凸を形成するだけであるので、簡便な構成により一層のコスト削減などの効果を生じることができる。
【手続補正１１】
【補正対象書類名】明細書
【補正対象項目名】図面の簡単な説明
【補正方法】変更
【補正の内容】
【図面の簡単な説明】
【図１】本発明を採用した実施形態のパチンコ機１を示す外観斜視図である。
【図２】パチンコ機１の上皿を示す分解斜視図である。
【図３】パチンコ機１の上皿の裏面図である。
【図４】パチンコ機１の裏面図である。
【図５】パチンコ機１の遊技盤１１の構成を示す正面図である。
【図６】パチンコ機１の電気的構成を示すブロック図である。
【図７】（ａ）は本実施形態におけレーザ発光装置２２，２３の配置図、（ｂ）は他のレーザ発光装置３０ａ，３０ｂの配置図である。
【図８】（ａ）は本実施形態におけるホログラム表示体３０を正面から見た場合の斜視図、（ｂ）は同ホログラム表示体３０を側面（斜め横）から見た場合の斜視図である。
【図９】（ａ）は本実施形態の変更形態におけるホログラムシート１３０を正面から見た場合の斜視図、（ｂ）は同ホログラム表示体１３０を側面（斜め横）から見た場合の斜視図である。
【図１０】（ａ）は更に異なる変更形態の上皿２０６を示す平面図、（ｂ）は同正面図、（ｃ）は同斜視図である。
【手続補正１２】
【補正対象書類名】図面
【補正対象項目名】図８
【補正方法】変更
【補正の内容】
【図８】
2002165939.tif 000001